(57)【要約】【課題】流し台やコンロ台などの厨房家具用キャビネットにおいて、下端の蹴込み部分を米の取り出しに利用することにより、狭いスペースに効率良く、米を収納できるようにする。【解決手段】コンロ台や流し台などの厨房家具用キャビネット１の天板２と蹴込みとの間に、米を収納保管し、規定量の米を計量落下させる薄形の米びつ本体を保持した狭幅の引出し１４を設けた。また、この引出し１４の下側の蹴込み部分には、前記米びつから落下した米を受けるトレイ１８を備えた引出し１５を設けた。【選択図】  図２
2004201867.tif 000002
【特許請求の範囲】
【請求項１】
略箱形で下端の蹴込み部分に引出し収納部が設けられたコンロ台や流し台などの厨房家具用キャビネットにおいて、
天板と蹴込みとの間に、米を収納保管し、規定量の米を計量落下させる薄形の米びつ本体を保持した狭幅の引出しが設けられると共に、この引出しの下側の蹴込み部分には、前記米びつから落下した米を受けるトレイを備えた引出しが設けられたことを特徴とする厨房家具用キャビネット。
【発明の詳細な説明】
【０００１】
【発明の属する技術分野】
本発明は、米を効率良く収納することができ、かつ、下端の蹴込み部分を利用して米を落下させ、取り出すことができるようにした厨房家具用キャビネットに関する。
【０００２】
【従来の技術】
米の収納部が設けられた従来の厨房家具用キャビネットとしては、図５に示すように扉２１の内部が収納部とされたキャビネット２０の片側に縦長の引出し２２を設け、この引出し２２に薄形のストッカー２３を取り付けたものがあった。このストッカー２３は、金属あるいは合成樹脂で薄い箱形に形成されたものであり、その上部には、米の投入口２３ａが設けられると共に、投入された米を所定量宛落下させるための操作釦２３ｂが設けられ、下部側面には、この落下した米を受けるトレイ２４が、出し入れ可能に装着されていた。
【０００３】
また、近年、図６に示すようにキャビネット３０の前面下端の蹴込み部分のスペースを利用して、ここに引出し３２，３３を設けた厨房家具用のキャビネット３０が普及してきているが、この場合、引出し３２，３３に必要な収納量を確保するため、底板３１の位置が高くなっており、上側の収納部分に上記のようなストッカーを収納することができなかった。そのため、この場合は、下側の引出し３２の内部に、嵩の低い蓋付きトレイ状の収納容器３４を設け、この容器３４内に米をストックしておき、必要な際には、升（図示せず）などを用いてこの容器３４内から米を掬い取るようにしていた。
【０００４】
また、この他にモータなどの駆動力を用いて米を取り出すようにしたものとしては、キャビネット内に計量米びつと吸引ファンを設置する一方、流し台のシンク上に米と空気の分離手段を備えた供給機を設け、この供給機と前記吸引ファン及び計量米びつの下端側をホースで連通させることにより、吸引ファンの作動に伴って計量された米びつ内の米がホースを介して供給機に風送されるようにしたものがあった。（例えば、特許文献１参照）。
【０００５】
さらにまた、これらの他にキャビネットの底板を取り除くことにより、床上設置形の米びつをそのまま内部に収納するようにしたものもあった。（例えば、特許文献２参照）。
【０００６】
【特許文献１】
実開平６−２４５４３号公報（第５−７頁、第１図）
【特許文献２】
特開平６−３０４０２７号公報（第２頁、第１図）
【０００７】
【発明が解決しようとする課題】
上述した従来の厨房家具用キャビネットのうち、図５に示したものは、米を取り出す際、引出しを十分に引き出した後、ストッカーの側面下側に装着されたトレイを、今度は横方向に引き出さなくてはならず、引出しの前方に広い操作スペースを要すると共に、米が収納された重いストッカーごと引き出さなくてはならず、取扱性が悪いという問題点があった。また、トレイに必要量の米を落下させるため、米はストッカーの上半部分にしか収納できず、ストッカー自体が狭幅であることと相まって、米の収納量が限られるという問題点もあった。
【０００８】
また、図６に示したものは、米を必要とする際、引出しを引き出した後、収納容器の蓋を開け、升などを用いてこの容器内に収納された米を掬い取らなくてはならず、これも引出しの前方に広い操作スペースを要し、また、升などを用いて一々、米を掬い取る作業も煩わしく、操作性に劣るという問題点があった。
【０００９】
さらにまた、特許文献１に示されたように、吸引ファンを用いてキャビネット内の米びつに収納された米を、シンク上に設けられた供給機に供給するようにしたものは、一般の米びつには見られない吸引ファンや供給機などを用いているので構成が複雑で、高価になるという問題点があり、また、作動させるには電源などの動力源を必要とするので、余分なランニングコストがかかると共に、停電や故障などが生じると、米を取り出せない事態も生じるおそれがあった。
【００１０】
特許文献２に示されるように底板を取り除いたものは、床上設置形の種々の米びつを収納することができる反面、キャビネット内に広い収納スペースを要するので、他のものの収納スペースが削減されることとなり、さらにキャビネット自体の剛性も低下するおそれがあるという問題点があった。
【００１１】
本発明は、上記従来の厨房家具用キャビネットが有していた問題点の解決を課題とする。
【００１２】
【課題を解決するための手段】
上記の課題を解決するために、本発明では、略箱形で下端の蹴込み部分に引出し収納部が設けられたコンロ台や流し台などの厨房家具用キャビネットにおいて、天板と蹴込みとの間に、米を収納保管し、規定量の米を計量落下させる薄形の米びつ本体を保持した狭幅の引出しを設けると共に、この引出しの下側の蹴込み部分には、前記米びつから落下した米を受けるトレイを備えた引出しを設けたことを特徴とする。
【００１３】
【発明の実施の形態】
以下、本発明を図示した実施の形態に基づき詳細に説明する。
【００１４】
図１は、本発明に係る厨房家具用キャビネットの例として、天面にシンクが設けられた流し台キャビネットを示した斜視図であり、図３はその要部の断面図である。図示したように、このキャビネット１は、シンク２が設けられた天板３と、左右の側板４、背面板５、および底板６とで前面が開放された箱形に形成されたものであり、前面の開放部分には、開閉扉７，８や引出し９，１０が設けられ、その内部を収納部（図示せず）としている。また、このキャビネット１は、前面の下端を所定寸法、内方に奥まらせて蹴込みとしており、この蹴込み部分を構成した前面板を、引出しの前板として複数の引出し１１，１２，１３を、出し入れ可能に設けている。
【００１５】
ここにおいて本発明の厨房家具用キャビネットでは、キャビネット１の側板４に隣接した個所を縦長の引出し１４とすると共に、その下側の蹴込み部分にも同様に同じ幅の引出し１５を設けている。
【００１６】
上記引出し１４の内部には、図３に示すように薄い箱形の米びつ本体１６が一体的に取り付けられている。この米びつ本体１６は、内部中程に設けられた傾斜案内板１６ａ，１６ｂで上下に区分されており、上面に設けられた投入口１６ｄから投入された米は、この傾斜案内板１６ａ，１６ｂの上側にストックされるようになっており、引出し１４の前面に設けられた操作釦１７の押動操作により、この傾斜案内板１６ａ，１６ｂを滑り落ちた一定量の米が計量機構部１６ｃに投入されるようになっている。
【００１７】
計量機構部１６ｃの下側には、開口１６ｆが設けられており、この開口１６ｆの下方には、下側の引出し１５に保持された米受け用のトレイ１８が位置している。
【００１８】
なお、図３において符号１６ｅは、米の投入口１６ｄを塞いだ蓋を示す。
【００１９】
本発明の厨房家具用キャビネットは、上記の構成を有している。
【００２０】
次に、このキャビネット１に一体的に組み込まれた米びつの使用法について述べると、まず、米を収納するには、上側の引出し１４をキャビネット１の前方（図３において右方）に引き出し、現れた米びつ本体１６の上面に設けられた投入口１６ｄの蓋１６ｅを開放し、この投入口１６ｄから米を内部に投入すれば良い。そして、米の投入が完了すると、投入口１６ｄの蓋１６ｅを閉じ、引出し１４を閉めれば良く、このことで米の収納が完了する。
【００２１】
そして、米を取り出すには、引出し１４の前面に設けられた操作釦１７を押せば、傾斜案内板１６ａ，１６ｂを滑り落ちて計量機構部１６ｃに投入された一定容積の米が、この計量機構部１６ｃから落下排出されるようになっており、この落下排出された米は、その下側の開口１６ｆを通過して、下方に位置したトレイ１８で受けられるようになっている。なお、一回の操作釦１７の操作で排出される米の量は、規定の最少単位量に設定されている。従って、多量の米粒を必要とする場合は、操作釦１７を必要な回数だけ操作すれば良い。
【００２２】
このようにして、必要量の米の排出が完了すると、図２に示すように、下側の引出し１５を引き出せば、その内部前方位置に保持されたトレイ１８に米が収納されているので、このトレイ１８を取り出し、収納された米を洗いなど次の作業に適した他の個所に適宜、移せば良い。
【００２３】
そして、米を取り出した後、トレイ１８を引出し１５の元の位置にセットし、引出し１５を閉めれば、トレイ１８は米びつ本体１６から排出された米を受けることができる待機位置にセットされるものである。なお、この引出し１５のトレイ１８がセットされた後側（図３において左側）は、適宜、収納部として利用可能なものである。
【００２４】
以上のように本発明の厨房家具用キャビネットでは、蹴込み部分を利用して米を落下させ、取り出すようにしたので、上側の引出し１４にセットされる米びつ本体１６の計量機構部１６ｃは、その最下部に設けることができる。よって、その上側に位置する米の収納部分の高さを高くでき、薄形に係わらず、米の収容容量を増加させることができる。
【００２５】
また、米の計量排出は、引出し１４の前面に設けられた操作釦１７を押動することにより行え、米の取り出しも下側の引出し１５を少し引き出せば、米が収納されたトレイ１８を取り出すことができるので、操作が容易で、引出し１５の前方に障害物があったとしても従来のものに比すれば、この障害物で操作が妨げられるおそれは低く、容易に操作が行える。
【００２６】
図４は、本発明の他の実施形態を示した断面図である。図示したようにこの場合は、蹴込み部分の高さｈを低くするため、キャビネット１の最下段に設けられる引出し１９の前面板を、キャビネット１の上側の前面板と面一になる上部１９ａと、蹴込みとなる奥まった下部１９ｂとからなる二段形状としたものであり、他の構成は、前記実施形態の物と何ら変わるところはない。
【００２７】
なお、図示した実施の形態では、厨房家具用キャビネットとして、天面にシンク２が設けられた流し台キャビネットを例示したが、本発明の厨房家具用キャビネットは、蹴込み部分に引出し収納部が設けられたものであれば、どのようなものであっても良く、例えば、レンジ台のようなものであっても良い。なお、レンジ台キャビネットの場合は、火災安全上、設置した際にレンジが壁面から離れるように、レンジをキャビネットの側面から所定寸法、離れた位置に設けなくてはならないが、本発明の厨房家具用キャビネットでは、この離れた寸法を利用して、ここに米びつ用の引出しを好適に設置することができるものである。
【００２８】
また、図示した実施の形態では、キャビネットの上側の収納部として開閉扉７，８が前後方向に移動する引出し形状のものを例示したが、この開閉扉は、観音開き式に開閉されるものであっても良い、なお、その場合、上側の収納部は、底板（図示せず）で下側の引出し収納部と区画されていることとする。
【００２９】
【発明の効果】
以上説明したように、本発明の厨房家具用キャビネットは、天板と蹴込みとの間に、米を収納保管し、規定量の米を計量落下させる米びつ本体を保持した引出しを設け、この引出しの下側の蹴込み部分に、前記米びつから落下した米を受けるトレイを備えた引出しを設けたので、蹴込み部分に引出し収納部が設けられたキャビネットのデザインの統一性を損なうことなく、米を体裁良く収納することができる。また、上側の引出しには、米びつの本体だけを取り付ければ良いので、米の収納部分のスペースを最大限確保することができ、薄形の米びつに係わらず、米の収容容量を大きく刷ることができる。さらに、蹴込み部分に設けた小さな引出しに米を取り出すトレイを保持させたので、米を取り出す際に、米びつが取り付けられた重い引出しを引き出す必要がなく、また、その引き出す寸法も小さくて良いので、無駄な労力を使うことなく、容易に必要な分量の米を取り出すことができる。また、トレイがセットされた引出しの後側は、小物の収納に利用できるので、スペース効率良く、台所用品を収納できるという効果もある。
【図面の簡単な説明】
【図１】本発明に係る厨房家具用キャビネットの実施形態の要部斜視図である。
【図２】図１に示したキャビネットの使用状態説明図である。
【図３】図１の要部断面図である。
【図４】本発明の他の実施形態の要部断面図である。
【図５】従来例の使用状態斜視図である。
【図６】他の従来例を示した使用状態斜視図である。
【符号の説明】
１  キャビネット
１４，１５，１９  引出し
１６  米びつ本体
１６ａ，１６ｂ  傾斜案内板
１６ｃ  計量機構部
１６ｄ  投入口
１６ｆ  開口
１７  操作釦
１８  トレイ
【図１】
2004201867.tif 000003
【図２】
2004201867.tif 000004
【図３】
2004201867.tif 000005
【図４】
2004201867.tif 000006
【図５】
2004201867.tif 000007
【図６】
2004201867.tif 000008